(57)【要約】  本発明は、少なくとも２つの部分タービン（３、４、８、９）を含むタービンユニット（２）を運転するための方法であって、蒸気体積流量（７）が、蒸気あふれ装置（５）によって、上流に配置された部分タービン（３、８）から、前記上流に配置された部分タービン（３、８）の下流に配置され且つ前記部分タービン（３、８）の後に接続された部分タービン（４、９）に誘導され、蒸気あふれ装置（５）内部の圧力レベルは、タービンユニット（２）によって運転される負荷領域に応じて操作され、それによって、タービンユニット（２）がＩＧＶ点の下側の部分負荷領域で運転される場合、及び／又は、部分負荷が急速に増大する場合に、上流に配置された部分タービン（３、８）の排出蒸気（６）は過熱状態を維持する方法に関する。
2018500494.tif 000002
【特許請求の範囲】
【請求項１】
少なくとも２つの部分タービン（３、４、８、９）を含むタービンユニット（２）を運転するための方法であって、
蒸気体積流量（７）が、蒸気あふれ装置（５）によって、上流に配置された部分タービン（３、４）から、前記上流に配置された部分タービン（３、８）の下流に配置され且つ前記部分タービン（３、４）の下流に接続された部分タービン（４、９）に誘導され、
前記蒸気あふれ装置（５）内部の圧力レベルは、前記タービンユニット（２）が運転される負荷領域に応じて操作され、それによって、前記タービンユニット（２）がＩＧＶ点の下側の部分負荷領域で運転される場合、及び／又は、部分負荷が急速に増大する場合に、前記上流に配置された部分タービン（３、８）の排出蒸気（６）は過熱状態を維持する方法。
【請求項２】
前記蒸気あふれ装置（５）内部の圧力レベルが、前記上流に配置された部分タービン（３、７）から到来する排出蒸気（６）の、湿り蒸気領域（３１）内への早期の膨張が回避されるように操作される、請求項１に記載の方法。
【請求項３】
臨界的な湿り蒸気の生成を回避するために、前記タービンユニット（２）が運転される負荷領域に応じて、前記蒸気あふれ装置（５）内の蒸気体積流量（７）が絞られる、請求項１又は２に記載の方法。
【請求項４】
前記圧力レベルが、前記蒸気あふれ装置（５）内部に配置された制御要素（１８）によって操作される、請求項１から３のいずれか一項に記載の方法。
【請求項５】
共通の蒸気あふれ装置（５）を用いて互いに動作可能に接続された、少なくとも２つの部分タービン（３、４、８、９）を含むタービンユニット（２）を有する蒸気発電所又はコンバインドサイクル発電所（１）であって、
湿り蒸気の挙動に影響を与えるために、共通の前記蒸気あふれ装置（５）内部における圧力レベル及び／又は蒸気体積流量（７）を制御及び／又は調節するための制御及び／又は調節手段（１０）を有している蒸気発電所又はコンバインドサイクル発電所（１）。
【請求項６】
特に請求項１から４のいずれか一項に記載の方法を実施するために、共通の蒸気あふれ装置（５）を用い動作可能に接続された、少なくとも２つの部分タービン（３、４、８、９）を含むタービンユニット（２）を有する蒸気発電所又はコンバインドサイクル発電所（１）であって、
蒸気発電所又はコンバインドサイクル発電所（１）は、共通の前記蒸気あふれ装置（５）内部での湿り蒸気の臨界的な生成を回避するための手段（１５）を含んでおり、湿り蒸気の臨界的な生成を回避するための前記手段（１５）は、少なくとも部分的に、共通の前記蒸気あふれ装置（５）内部に配置されている、蒸気発電所又はコンバインドサイクル発電所（１）。
【請求項７】
圧力レベル若しくは蒸気体積流量（７）を制御及び／若しくは調節するための制御及び／若しくは調節手段（１０）、又は湿り蒸気の臨界的な生成を回避するための手段（１５）が、前記タービンユニット（２）によって運転される負荷領域に応じて作動可能である、請求項５又は６に記載の蒸気発電所又はコンバインドサイクル発電所（１）。
【請求項８】
前記蒸気発電所又はコンバインドサイクル発電所（１）が、前記タービンユニット（２）の廃熱ボイラーを冷却又は加熱するための手段を含んでおり、前記手段を用いて、前記廃熱ボイラーは、前記タービンユニット（２）によって運転される負荷領域に応じて冷却又は加熱可能である、請求項５から７のいずれか一項に記載の蒸気発電所又はコンバインドサイクル発電所（１）。
【請求項９】
前記蒸気発電所又はコンバインドサイクル発電所（１）が、処理装置（１６）を有しており、前記処理装置（１６）を用いて、前記制御及び／若しくは調節手段（１０）、又は湿り蒸気の臨界的な生成を回避するための前記手段（１５）と、前記タービンユニット（２）の廃熱ボイラーを冷却又は加熱するための前記手段と、が互いに連動して作動及び運転可能である、請求項５から８のいずれか一項に記載の蒸気発電所又はコンバインドサイクル発電所（１）。
【請求項１０】
前記制御及び／若しくは調節手段（１０）、又は、湿り蒸気の臨界的な生成を回避するための前記手段（１５）が、絞り装置（１１）の絞り板部分（１２）又は絞り弁部分を有している、請求項５から８のいずれか一項に記載の蒸気発電所又はコンバインドサイクル発電所（１）。
【請求項１１】
２つの部分タービン（３、４、８、９）の間に配置された蒸気あふれ装置（５）に設けられた絞り装置（１０）の、湿り蒸気の臨界的な生成を回避又は少なくとも抑制するための使用。
【発明の詳細な説明】
【技術分野】
【０００１】
本発明は、タービンユニットを運転するための方法に関するものであり、当該タービンユニットは、少なくとも２つの部分タービンを含んでおり、当該方法では、蒸気体積流量が、蒸気あふれ装置によって、上流に配置された部分タービンから、この上流に配置された部分タービンに後置され、下流に配置された部分タービンに誘導される。
【背景技術】
【０００２】
本発明はさらに、タービンユニットを有する蒸気発電所又はコンバインドサイクル発電所にも関するものであり、当該タービンユニットは、少なくとも２つの部分タービンを含んでおり、これらの部分タービンは、共通の蒸気あふれ装置によって互いに協働している。
【０００３】
本発明はさらに、２つの部分タービンの間に配置された蒸気あふれ装置に設けられた絞り装置の使用に関する。
【０００４】
同属の方法、タービンユニット、及び蒸気発電所又はコンバインドサイクル発電所は、先行技術からすでに知られている。
【０００５】
特に、コンバインドサイクル発電所は、理想的には専ら全負荷領域において運転される。なぜなら、それによって、特に可能な限り大きな効率が得られるからである。
【０００６】
電気エネルギーの供給が一層柔軟に構成されることによって変化する市場の要求に対する、より良い反応を可能とするために、特にこのようなコンバインドサイクル発電所の柔軟な運転も、一段と必要とされており、その部分タービンは、より少ないエネルギー生成のためには、少なくとも部分的に、より頻繁に、より低い部分負荷領域で運転されるべきであるが、電気エネルギーが短期的に要求される場合には、迅速に再び、完全な出力をもたらし得る。
【０００７】
特に静的な動作状態では、特にコンバインドサイクル発電所は、その可能な全負荷の約６０％にまで出力を落とすことが可能であるが、その際に、部分タービンの内一方の部分タービンの蒸気排出温度が臨界的に変化し、及び、それと共に、後置された他方の部分タービンの蒸気流入温度までもが臨界的に変化すること、又は少なくともわずかな程度において変化することはない。しかしながら、これはいわゆるＩＧＶ点の下側、すなわち圧縮機入口においてガイドベーンが特定の位置にある場合は、異なっている。なぜなら、ＩＧＶ点の下側では、蒸気排出温度及び／又は蒸気流入温度は、望ましくない程度で変化し得るからである。
【０００８】
温度変化に起因するタービン部材の疲労の他に、これは、いくつかのタービン構造において、湿り蒸気領域内に至るまでの許容できない膨張を生じさせる可能性がある。湿り蒸気又は湿り蒸気の臨界的な生成からは、熱伝達が増大する危険が生じ、熱伝達が増大した結果、タービンブレードが径方向又は軸方向に接触し得る。
【０００９】
自明のことながら、特に上述の状況は、特にコンバインドサイクル発電所の運転の柔軟性を著しく制限する。
【００１０】
加えて、特に動作状態に関して、部分負荷から、負荷があまりにも急激に上昇した場合に、タービン内部で温度が臨界的に急上昇し、それによって、寿命が不利な影響を受けるという問題が生じる。とは言え、理論的には、負荷が増大する際にタービン温度を活性化するために、廃熱ボイラーに噴射する可能性が存在し得るので、それによって、少なくとも臨界的な温度の急上昇は制限することができる。しかしながら、負荷消費（Lastaufnahme）によって、許容不可能であり、従って臨界的な、湿り蒸気領域内への膨張が予測される。これは、上述の理由から、強制的に回避すべきである。
【発明の概要】
【発明が解決しようとする課題】
【００１１】
本発明の課題は、同属の方法及びこれに関連する蒸気発電所又は特にコンバインドサイクル発電所を、これらが、少ない方法技術的及び構造的負担で、電気エネルギーの柔軟に構成された供給に関して増大する要求に適応できるように、さらに発展させることにある。
【課題を解決するための手段】
【００１２】
本課題は、少なくとも２つの部分タービンを含むタービンユニットの運転方法によって解決され、当該方法では、蒸気体積流量は、蒸気あふれ装置によって、上流に配置された部分タービンから、下流に配置された部分タービンに誘導され、その際、蒸気あふれ装置内部の圧力レベルは、タービンユニットによって運転される負荷領域に応じて操作され、それによって、上流に配置された部分タービンの排出蒸気は、タービンユニットがＩＧＶ点の下側の部分負荷領域で運転される場合、及び／又は、部分負荷が急速に増大する場合に、過熱状態を維持する。
【００１３】
それによって、タービンユニットを、安全に、比較的低い部分負荷領域に入るまで運転すること、及び／又は、著しく増大した出力若しくはエネルギー需要に迅速に適応させることが可能であり、その際、特に上流に配置された部分タービンの排出蒸気が、湿り蒸気領域内にまで臨界的に膨張する危険は生じない。
【００１４】
その限りでは、タービンユニット又はその部分タービンは、臨界的な湿り蒸気領域の外側において、安全に運転され得る。
【００１５】
特にこの関連において、上流に配置された部分タービンに関する蒸気の膨張は短縮されるので、これに関する排出蒸気は、より長く、又は、さらに過熱された状態を維持し、従って、タービンユニットの望ましくない箇所における湿り蒸気の臨界的な生成という危険も回避され得る。
【００１６】
その際、蒸気あふれ装置内部で優勢な、上流に配置された部分タービンの排出蒸気の圧力レベルは、適切な程度引き上げられる。
【００１７】
本発明において、「早期の若しくは臨界的な膨張」又は「湿り蒸気の臨界的な生成」という表現は、特に、部分タービンの望ましい領域である低圧部分等の外側における湿り蒸気の生成を指している。
【００１８】
本発明において、「比較的低い部分負荷領域」という概念は、ガスタービンのＩＧＶ点の下側の部分負荷領域を指している。
【００１９】
本発明において、「ＩＧＶ点」という概念は、ガスタービンの圧縮機入口におけるガイドベーンの特定の位置を指しており、この特定の位置は、少ない燃料消費と、少ない有害物質の排出と、につながる。ＩＧＶは、入口案内翼の頭文字であり、ガスタービンの圧縮機入口における調節可能なガイドベーンを指している。ガイドベーンによって、圧縮機入口における体積流量を調節することが可能である。
【００２０】
ＩＧＶ点は、調節可能なガイドベーンが、その最小の開口を示し、従って体積流量が少なくなる点である。ＩＧＶ点は、ガスタービンがまだ安全に、適切な排出量で運転可能である、ガスタービンの最も低い動作点である。
【００２１】
「急速な上昇」という概念は、例えば１分に１％より多い、ガスタービンのタービンユニット出力の迅速な上昇を指している。
【００２２】
従って、タービンユニットは下方の部分負荷領域で問題無く運転可能であり、その際、タービンユニットの望ましくない領域における排出蒸気が、すでに湿り蒸気領域内で膨張しているという危険は存在しない。
【００２３】
さらに、この下側の部分負荷領域で運転されるタービンユニットは、再び、略全負荷領域にまで急速に運転を引き上げられ得るが、その際、タービンユニットの望ましくない領域における排出蒸気が、すでに湿り蒸気領域内で膨張しているという危険は存在しない。
【００２４】
その点において、上流に配置された部分タービンの排出蒸気が、タービンユニットが実現可能な全負荷の約６０％よりも低い部分負荷領域で運転される場合に、過熱された状態を維持する場合も、有利である。
【００２５】
本発明に係るタービンユニットは様々な種類のタービンを、例えばガスタービン、蒸気タービン、又は、高圧蒸気タービン、中圧蒸気タービン、及び／又は、低圧蒸気タービン、又は、過熱蒸気タービン、湿り蒸気タービン等を含み得る。
【００２６】
本発明において、「蒸気あふれ装置」という概念は、部分タービンの内の第１の部分タービンの過熱した排出蒸気が、部分タービンの内の別の部分タービンに向かってあふれることを可能にする装置を指している。このような装置は、例えばあふれ導管として、又はあふれ管等として構成され得る。
【００２７】
方法の好ましい変形例によると、蒸気あふれ装置内部の圧力レベルは、上流に配置された部分タービンから到来する排出蒸気の、湿り蒸気領域内への早期の膨張が回避されるように操作される。それによって、タービンユニット又はその部分タービンが、臨界的な湿り蒸気領域の外側でより長く運転され得る。その結果、排出蒸気は、可能な限り、そのために設けられた領域内でのみ、湿り蒸気領域内に膨張できるようになる。
【００２８】
さらに、上流に配置された部分タービンから排出される蒸気が、低圧部分に入るまで過熱された状態を維持し、それによって、上流に配置された部分タービンの排出蒸気の、湿り蒸気領域内への臨界的な膨張が可能な限り長く回避されると有利である。それによっても、タービンユニット又はその部分タービンが、臨界的な湿り蒸気領域の外側でより長く運転され得る。
【００２９】
その点において、臨界的な湿り蒸気の生成を回避するために、タービンユニットによって運転される負荷領域に応じて、蒸気あふれ装置内の蒸気体積流量が絞られる場合は、有利である。
【００３０】
特に、圧力レベルが、蒸気あふれ装置内部に配置された制御要素によって操作される場合、本発明に基づいて実施される圧力レベルの操作は、単純な構成で実施可能である。このような制御要素は、後述するように、様々な形で構成され得る。
【００３１】
本発明の課題は、一方では、少なくとも２つの、共通の蒸気あふれ装置によって互いに協働している部分タービンを含むタービンユニットを有する蒸気発電所又はコンバインドサイクル発電所であって、湿り蒸気の挙動に影響を与えるために、共通の蒸気あふれ装置内部における圧力レベル及び／又は蒸気体積流量を制御及び／又は調節するための制御及び／又は調節手段を有している蒸気発電所又はコンバインドサイクル発電所によって解決される。
【００３２】
本発明によると、この共通の蒸気あふれ装置で使用される制御及び／又は調節手段は、全ての部分負荷領域において臨界的な湿り蒸気を回避するために用いられ、それによって、すでに詳細に記載した効果が得られる。
【００３３】
本発明の課題は、他方では、少なくとも２つの、共通の蒸気あふれ装置によって互いに協働している部分タービンを含むタービンユニットを有する蒸気発電所又はコンバインドサイクル発電所であって、湿り蒸気の生成を臨界的な回避するための手段を含み、湿り蒸気の臨界的な生成を回避するための手段が少なくとも部分的に、蒸気あふれ装置内部に配置されている蒸気発電所又はコンバインドサイクル発電所によっても解決される。
【００３４】
本発明によると、この共通の蒸気あふれ装置内部で用いられる、湿り蒸気の臨界的な生成を回避するための手段は、全ての部分負荷領域において望ましくない湿り蒸気を回避するために用いられ、それによって同様に、すでに詳細に記載した効果が得られる。
【００３５】
本発明に係る蒸気発電所又はコンバインドサイクル発電所を用いて、特に上述の本発明に係る方法が、有利に実施可能である。
【００３６】
圧力レベル若しくは蒸気体積流量を制御及び／若しくは調節するための制御及び／若しくは調節手段、又は湿り蒸気の臨界的な生成を回避するための手段が、タービンユニットによって運転される負荷領域に応じて作動可能である場合、望ましくない湿り蒸気の生成が、特に運転上安全な形で回避され得る。
【００３７】
別の有利な実施形態の変形例によると、蒸気発電所又はコンバインドサイクル発電所は、タービンユニットの廃熱ボイラーを冷却又は加熱する手段を含んでおり、当該手段を用いて、廃熱ボイラーは、タービンユニットによって運転される負荷領域に応じて冷却又は加熱され得る。それによって、特に本発明に係る方法は、過渡的動作状態にも適している。なぜなら、廃熱ボイラーの適切な噴射によって、後置された、下流に配置された部分タービンにおける温度は、低く保たれるか、又はわずかな温度勾配のみを許容する一方で、制御及び／若しくは調節手段、又は湿り蒸気の臨界的な生成を回避するための手段は、上流に配置された部分タービンの排出蒸気の十分な過熱を確実化するからである。
【００３８】
蒸気発電所又はコンバインドサイクル発電所が処理装置を有しており、当該処理装置を用いて、制御及び／若しくは調節手段、又は湿り蒸気の臨界的な生成を回避するための手段と、タービンユニットの廃熱ボイラーを冷却若しくは加熱するための手段と、が互いに連動して作動又は運転可能である場合、上述の効果を運転上安全な形で得るために、タービンユニットは全体として連動して運転され得る。
【００３９】
自明のことながら、上述の制御及び／若しくは調節手段、又は湿り蒸気の臨界的な生成を回避するための手段は、異なる構成で実現され得る。
【００４０】
これらの手段を、構造的に特に単純にタービンユニットに組み込むことができるのは、制御及び／若しくは調節手段、又は湿り蒸気の臨界的な生成を回避するための手段が、絞り装置の絞り板部分又は絞り弁部分を有している場合である。
【００４１】
本発明の課題は、２つの部分タービンの間に配置された蒸気あふれ装置に設けられた絞り装置を、湿り蒸気の臨界的な生成を回避するため、又は少なくとも抑制するために使用することによっても解決される。
【００４２】
本発明によると、特に過渡的動作状態において、絞り装置が、湿り蒸気の臨界的な生成を少なくとも部分的に、又は理想的には完全に回避するために用いられ得る。
【００４３】
本発明に係る方法を、タービンユニットにおいて、すでに本発明に従って使用するのに適していると思われる蒸気あふれ装置における絞り装置において実施する必要がある場合、当該タービンユニットは、圧力あふれ装置内部の圧力レベルを、特にタービンユニットによって運転される負荷領域に応じて操作するために、対応して容易に改善され得る。
【００４４】
特に、この場合、臨界的な湿り蒸気を回避するためにこのような絞り装置を用いることが有利である。
【００４５】
この場合、特に、当該タービンユニットを通じて、蒸気あふれ装置内部の圧力レベルを、タービンユニットによって運転される負荷領域に応じて、又は、上述の制御及び／若しくは調節手段、若しくは、湿り蒸気の臨界的な生成を回避するための手段に応じて、操作することが可能である。
【００４６】
それによって、タービンユニットが、特にＩＧＶ点の下側の負荷領域の下側において運転される、及び／又は運転される負荷が、下側の負荷領域から急速に増大する場合に、上流に配置された部分タービンから到来する排出蒸気が、あまりに早く、湿り蒸気領域内に膨張するという危険を、特に確実に減少させることができる。
【００４７】
従って、本発明によって、運転上安全な形でより低い部分負荷を得ること、又は特に過渡的プロセスにおいて、タービンユニットの部分タービンの寿命の消耗を著しく減少させることが可能である。
【００４８】
いずれにせよ、本発明を用いて、湿り蒸気の生成箇所を移動させること、つまり、湿り蒸気の生成が問題とならない低圧部分に移動させることが可能である。
【００４９】
自明のことながら、上述の、又は請求項に記載された解決法の特徴を、必要に応じて組み合わせ、利点を適切に集積して実現することが可能である。
【００５０】
本発明のさらなる特徴、効果及び利点を、添付の図面及び以下の記載を用いて説明するが、それらには、本発明に係る装備を有するコンバインドサイクル発電所のタービンユニットが部分的に、例示的に図示及び記載されている。示されているのは以下の図である。
【図面の簡単な説明】
【００５１】
【図１】蒸気あふれ装置によって協働した２つの部分タービンを有する、コンバインドサイクル発電所に設けられたタービンユニットの部分的な概略図であり、蒸気あふれ装置内部の圧力レベルが、タービンユニットによって運転される負荷領域に応じて操作され、それによって、上流に配置された部分タービンの排出蒸気が、タービンユニットがＩＧＶ点の下側の部分負荷領域で運転される場合、及び／又は、部分負荷が急速に増大する場合に、過熱した状態を維持することを示した図である。
【図２】図１に示されたコンバインドサイクル発電所の概略的なｈ‐ｓ図である。
【発明を実施するための形態】
【００５２】
図１に示されたコンバインドサイクル発電所は、タービンユニット２を有しており、タービンユニット２からは、図１の描写によると、２つの部分タービン３及び４のみが示されている。
【００５３】
これらの部分タービン３及び４は、共通の蒸気あふれ装置５を通じて協働しており、上流に配置された部分タービン３から到来する排出蒸気６が、蒸気体積流量７として、別の下流に配置された部分タービン４に誘導されるので、後者は、上流に配置された部分タービン３の排出蒸気６によって運転される。
【００５４】
この、特に図１に示された実施例では、第１の部分タービン３、すなわち上流に配置された部分タービン３は中圧タービン８であり、第２の部分タービン４、すなわち他方の下流に配置された部分タービン４は低圧タービン９である。
【００５５】
本発明によると、コンバインドサイクル発電所１は、タービンユニット２を特徴としており、タービンユニット２は、湿り蒸気の挙動に影響を与えるために、蒸気あふれ装置５内部の圧力レベル及び／又は蒸気体積流量７を制御及び／又は調節するための制御及び／又は調節手段１０を有しており、本実施例では、制御及び／又は調節手段１０は、構造的に単純な、共通の蒸気あふれ装置５に設けられた絞り装置１１を含んでおり、その絞り板部分１２は、共通の蒸気あふれ装置５内部に配置されている。
【００５６】
この単純な構造の制御及び／又は調節手段１０を用いて、タービンユニット２又はコンバインドサイクル発電所１では、必要に応じて、排出蒸気６に関して圧力の上昇が得られるが、それは特に、タービンユニット２が、ＩＧＶ点の下側の比較的低い部分負荷領域において運転され、それによって、この排出蒸気６が可能な限り長く過熱された状態を維持することが常に保証される場合である。
【００５７】
同じことは、部分負荷が急速に上昇する場合、特に比較的低い部分負荷領域から急激に上昇する場合に当てはまる。その際、接続され且つ下流に配置された部分タービン４の温度を低下させるために、ここでは詳細には図示されていない廃熱ボイラーは、ここには詳細には図示されていない、タービンユニットの廃熱ボイラーを冷却又は加熱する手段によって冷却され得る。
【００５８】
その点では、その共通の蒸気あふれ装置５内に配置された絞り板部分１２を有する絞り装置１１は、上述の効果を得るために、共通の蒸気あふれ装置５内部の湿り蒸気の生成を回避するための手段１５も具現している。
【００５９】
その際、絞り装置１１又はその絞り板部分１２は、共通の蒸気あふれ装置５の出口支持部１６に配置されているので、特に絞り板部分１２は、上流に配置された部分タービン３の蒸気排出口１７のすぐ後方に位置している。
【００６０】
従って、この場合、絞り板部分１２だけですでに、制御要素１８を具現しており、当該制御要素を用いて、共通の蒸気あふれ装置５内部の圧力レベルが、本発明に従って操作され得る。
【００６１】
制御及び／若しくは調節手段１０、又は、湿り蒸気の生成を回避するための手段１５と、タービンユニット２の廃熱ボイラーを冷却若しくは加熱するための手段とを、互いに連動して用いることを可能にするために、タービンユニット２は、さらに、対応した構成を有する処理装置２０を有しており、処理装置２０は、ここに記載されたタービンユニット２が本発明に従って運転され得るように構成されている。その際、この処理装置２０は、ハードウェアとしても、ソフトウェアとしても、実現可能である。
【００６２】
図１において少なくとも部分的に示されたコンバインドサイクル発電所１のタービンユニット２の、図２に示されたｈ‐ｓ図２５では、Ｘ座標２６にエントロピー値が、Ｙ座標２７にエンタルピー値が示されており、このｈ‐ｓ図２５には、飽和曲線２８が明瞭に示されている。
【００６３】
加えて、このｈ‐ｓ図２５からは、タービンユニット２が、タービンユニット２のＩＧＶ点の下側の低い部分負荷運転において運転される際に、本発明に係る制御及び／若しくは調節手段１０、又は、湿り蒸気の生成を回避するための手段１５を使用しない場合の、共通の蒸気あふれ装置５内部における排出蒸気６の膨張挙動に関する、標準的な膨張曲線２９が認識される。
【００６４】
この標準的な膨張曲線２９の上側には、タービンユニット２が、タービンユニット２のＩＧＶ点の下側の低い部分負荷運転において運転される際に、本発明に係る制御及び／若しくは調節手段１０、又は、湿り蒸気の生成を回避するための手段１５を使用した場合の、共通の蒸気あふれ装置５内部における排出蒸気６の膨張挙動の新しい膨張曲線３０が、例示的に記入されている。
【００６５】
タービンユニット２は、本発明によって提案された方法で、明らかにより長く、湿り蒸気領域３１の外側で運転可能であることが認識される。これは、言い換えれば、湿り蒸気の生成が、望ましい箇所、すなわち低圧部分の領域において、局所的に行われているということである。
【００６６】
図２の描写によると、標準的な膨張曲線２９が、点３２の領域において、さらに湿り蒸気領域３１の方向に延在している一方で、本発明に係る制御及び／若しくは調節手段１０、又は、湿り蒸気の生成を回避するための手段１５を用いることによって、少なくとも一時的に、新しい膨張曲線３０が、点３２から、区間３３に亘って、等温的状態変化を示し、さしあたり、概ね等温線３４に沿って延在しており、それによって、新しい膨張曲線３０が、そのさらなる推移において、再び標準的な膨張曲線２９と同じように延在する前に、排出蒸気６の膨張が、飽和曲線２８の上側で、より長く生じ得る。
【００６７】
ここで、明確に指摘しておくべきことに、上述の特徴、効果及び利点を、適切に集積して実現する、又は、獲得するために、上述の、又は、請求項に記載された解決法の特徴を、必要に応じて組み合わせることも可能である。
【００６８】
本発明を、好ましい実施例を通じて、詳細に図示かつ説明してきたが、本発明は、この開示された実施例によっては限定されず、当業者は、本発明の保護範囲を離れることなく、その他の変形例を導き出すことができる。
【符号の説明】
【００６９】
１  コンバインドサイクル発電所
２  タービンユニット
３  第１の部分タービン
４  第２の部分タービン
５  蒸気あふれ装置
６  排出蒸気
７  蒸気体積流量
８  中圧タービン
９  低圧タービン
１０  制御及び／又は調節手段
１１  絞り装置
１２  絞り板部分
１５  湿り蒸気の生成を回避するための手段
１６  出口支持部
１７  蒸気排出口
１８  制御要素
２０  処理装置
２５  ｈ‐ｓ図
２６  Ｘ座標
２７  Ｙ座標
２８  飽和曲線
２９  標準的な膨張曲線
３０  新しい膨張曲線
３１  湿り蒸気領域
３２  点
３３  区間
３４  等温線
【図１】
2018500494.tif 000003
【図２】
2018500494.tif 000004
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
少なくとも２つの部分タービン（３、４、８、９）を含むタービンユニット（２）を運転するための方法であって、
蒸気体積流量（７）が、蒸気あふれ装置（５）によって、上流に配置された部分タービン（３、４）から、前記上流に配置された部分タービン（３、８）の下流に配置され且つ前記部分タービン（３、４）の下流に接続された部分タービン（４、９）に誘導され、
前記蒸気あふれ装置（５）内部の圧力レベルは、前記タービンユニット（２）が運転される負荷領域に応じて操作され、それによって、前記タービンユニット（２）がＩＧＶ点の下側の部分負荷領域で運転される場合、及び／又は、部分負荷が急速に増大する場合に、前記上流に配置された部分タービン（３、８）の排出蒸気（６）は過熱状態を維持する方法。
【請求項２】
前記蒸気あふれ装置（５）内部の圧力レベルが、前記上流に配置された部分タービン（３、７）から到来する排出蒸気（６）の、湿り蒸気領域（３１）内への早期の膨張が回避されるように操作される、請求項１に記載の方法。
【請求項３】
臨界的な湿り蒸気の生成を回避するために、前記タービンユニット（２）が運転される負荷領域に応じて、前記蒸気あふれ装置（５）内の蒸気体積流量（７）が絞られる、請求項１又は２に記載の方法。
【請求項４】
前記圧力レベルが、前記蒸気あふれ装置（５）内部に配置された制御要素（１８）によって操作される、請求項１から３のいずれか一項に記載の方法。
【請求項５】
共通の蒸気あふれ装置（５）を用いて互いに動作可能に接続された、少なくとも２つの部分タービン（３、４、８、９）を含むタービンユニット（２）を有する蒸気発電所又はコンバインドサイクル発電所（１）であって、
湿り蒸気の挙動に影響を与えるために、共通の前記蒸気あふれ装置（５）内部における圧力レベル及び／又は蒸気体積流量（７）を制御及び／又は調節するための制御及び／又は調節手段（１０）を有している蒸気発電所又はコンバインドサイクル発電所（１）。
【請求項６】
請求項１から４のいずれか一項に記載の方法を実施するために、共通の蒸気あふれ装置（５）を用い動作可能に接続された、少なくとも２つの部分タービン（３、４、８、９）を含むタービンユニット（２）を有する蒸気発電所又はコンバインドサイクル発電所（１）であって、
蒸気発電所又はコンバインドサイクル発電所（１）は、共通の前記蒸気あふれ装置（５）内部での湿り蒸気の臨界的な生成を回避するための手段（１５）を含んでおり、湿り蒸気の臨界的な生成を回避するための前記手段（１５）は、少なくとも部分的に、共通の前記蒸気あふれ装置（５）内部に配置されている、蒸気発電所又はコンバインドサイクル発電所（１）。
【請求項７】
圧力レベル若しくは蒸気体積流量（７）を制御及び／若しくは調節するための制御及び／若しくは調節手段（１０）、又は湿り蒸気の臨界的な生成を回避するための手段（１５）が、前記タービンユニット（２）によって運転される負荷領域に応じて作動可能である、請求項５又は６に記載の蒸気発電所又はコンバインドサイクル発電所（１）。
【請求項８】
前記蒸気発電所又はコンバインドサイクル発電所（１）が、前記タービンユニット（２）の廃熱ボイラーを冷却又は加熱するための手段を含んでおり、前記手段を用いて、前記廃熱ボイラーは、前記タービンユニット（２）によって運転される負荷領域に応じて冷却又は加熱可能である、請求項５から７のいずれか一項に記載の蒸気発電所又はコンバインドサイクル発電所（１）。
【請求項９】
前記蒸気発電所又はコンバインドサイクル発電所（１）が、処理装置（１６）を有しており、前記処理装置（１６）を用いて、前記制御及び／若しくは調節手段（１０）、又は湿り蒸気の臨界的な生成を回避するための前記手段（１５）と、前記タービンユニット（２）の廃熱ボイラーを冷却又は加熱するための前記手段と、が互いに連動して作動及び運転可能である、請求項５から８のいずれか一項に記載の蒸気発電所又はコンバインドサイクル発電所（１）。
【請求項１０】
前記制御及び／若しくは調節手段（１０）、又は、湿り蒸気の臨界的な生成を回避するための前記手段（１５）が、絞り装置（１１）の絞り板部分（１２）又は絞り弁部分を有している、請求項５から８のいずれか一項に記載の蒸気発電所又はコンバインドサイクル発電所（１）。
【請求項１１】
２つの部分タービン（３、４、８、９）の間に配置された蒸気あふれ装置（５）に設けられた絞り装置（１０）の、湿り蒸気の臨界的な生成を回避又は少なくとも抑制するための使用。
【国際調査報告】
2018500494.tif 000005
2018500494.tif 000006
2018500494.tif 000007
2018500494.tif 000008